(57)【特許請求の範囲】
【請求項１】
上面及び前面に開口部を有する流し台に設けられた調理器収容部に組込まれ、前記上面の開口部を覆うトッププレート、及び前記前面の開口部に面する前面を有する本体ケース、該本体ケース内に、加熱体、該加熱体の駆動制御回路、該駆動制御回路等を冷却する送風機等が設けられた加熱調理器と、
該加熱調理器に取付けられ、前記本体ケースの前面縁と、前記調理器収容部の側壁又は前面開口部の側縁との間に形成されたすき間を閉塞するカバー体とを有し、
前記カバー体を、断面ほぼコ字状の本体部と、該本体部の背面側の上下方向のほぼ中央部において幅方向の一方の側に片寄って突設され、前記本体ケースに設けた係止穴に挿入して下方に移動させることにより該係止穴に係止する係止爪を有する係止片と、該係止片の上下に該係止片から幅方向の他方の側に片寄って前記本体ケースの側壁に当接又は圧接するガタ防止片とによって構成したことを特徴とする組込式加熱調理器。
【請求項２】
前記本体ケースの前面縁の左右両側に、前記カバー体の係止片が係止する係止穴を有するフランジ部を設けたことを特徴とする請求項１記載の組込式加熱調理器。
【請求項３】
前記本体ケースの側壁の前面側に、前面に前記カバー体の係止片が係止する係止穴を有し前記ガタ防止片が当接又は圧接するほぼＪ字状の止め具を取付けたことを特徴とする請求項１記載の組込式加熱調理器。
【発明の詳細な説明】
【技術分野】
【０００１】
本発明は、流し台等に組込まれて使用される組込式加熱調理器に関するものである。
【背景技術】
【０００２】
組込式加熱調理器は、一般に、流し台等に設けられ上面と前面が開口された調理器収容部内に組込まれているが、調理器収容部の側壁と加熱調理器の側壁との間にすき間が生じる。このため、このすき間からごみなどが侵入して不潔になり易いので、すき間を閉じることが必要である。
【０００３】
従来の組込式加熱調理器に、後面側に調理器本体の側壁に設けた係合部に係合する係合爪を有し、操作部の前面を覆うと共に、操作部側の調理器本体の側壁と、流し台の前面開口部との間に形成されたすき間を覆う操作部側カバーと、背面側に調理器本体の側壁に設けた係合部に係合する係合爪を有し、焙焼器側の調理器本体の側壁と流し台の前面開口部との間に形成されたすき間を覆うＴ字状の焙焼器側カバーとを備えたものがある（例えば、特許文献１参照）。
【０００４】
【特許文献１】特開２００５−１２１２６６号公報（第４−５頁、図１−６）
【発明の開示】
【発明が解決しようとする課題】
【０００５】
特許文献１に記載の組込式加熱調理器は、操作部の前面を覆う大きな操作部側カバーと焙焼器側カバーとにより、調理器本体と流し台に設けた調理器収容部と前面開口部との間に形成されたすき間を覆うようにしているので、構造が複雑になるばかりでなく、コストが大幅に増加する。
また、操作部側カバーと焙焼器側カバーは、その係合爪を調理器本体に設けた係合部に係合させるだけなので、操作部を操作する際に操作部側に外力が加えられたり、振動などによって外れ易いという問題がある。
【０００６】
本発明は、上記の課題を解決するためになされたもので、加熱調理器と流し台の調理器収容部との間のすき間を、これらになんら加工することなく容易かつ確実に閉塞することができ、外れたり落下したりすることのないカバー体を有する組込式加熱調理器を提供することを目的としたものである。
【課題を解決するための手段】
【０００７】
本発明に係る組込式加熱調理器は、上面及び前面に開口部を有する流し台に設けられた調理器収容部に組込まれ、前記上面の開口部を覆うトッププレート、及び前記前面の開口部に面する前面を有する本体ケース、該本体ケース内に、加熱体、該加熱体の駆動制御回路、該駆動制御回路等を冷却する送風機等が設けられた加熱調理器と、該加熱調理器に取付けられ、前記本体ケースの前面縁と、前記調理器収容部の側壁又は前面開口部の側縁との間に形成されたすき間を閉塞するカバー体とを有し、前記カバー体を、断面ほぼコ字状の本体部と、該本体部の背面側の上下方向のほぼ中央部において幅方向の一方の側に片寄って突設され、前記本体ケースに設けた係止穴に挿入して下方に移動させることにより該係止穴に係止する係止爪を有する係止片と、該係止片の上下に該係止片から幅方向の他方の側に片寄って前記本体ケースの側壁に当接又は圧接するガタ防止片とによって構成したものである。
【発明の効果】
【０００８】
本発明によれば、加熱調理器と流し台に設けた調理器収容部との間のすき間を、これらになんら加工することなく、簡単な構造のカバー体により容易かつ確実に閉塞することができ、外れたり落下したりすることがない。
【発明を実施するための最良の形態】
【０００９】
［実施の形態１］
図１は本発明の実施の形態１に係る組込式加熱調理器の斜視図、図２は図１のＡ−Ａ断面図である。
上面が開口した組立式加熱調理器１（以下、加熱調理器という）の本体ケース２は、前面側が段部３を介して突出し、突出部の前面には両側にフランジ部５ａ，５ｂ（以下、単に５と記すことがある）を残して前面開口部４が設けられており、後部側には下方に向って前面側に傾斜する傾斜面が形成されている。６はフランジ部５ａ，５ｂの上下方向に設けたスリット状の係合穴である。
【００１０】
７は非磁性材料からなり外周が支持枠８に保持されて、本体ケース２の上面開口部を覆って装着されたトッププレートである。このトッププレート７の上面には、調理具の載置位置を表示するサークルライン９ａ，９ｂ，９ｃが印刷により設けられており、また、支持枠８の前面側には上面操作部１０が設けられ、後面側には排気口１１が開口している。
【００１１】
本体ケース２の前面開口部４の一方の側には、本体ケース２内に設けた加熱庫（図示せず）に引出し式に出し入れ可能に挿入された加熱皿に連結された加熱庫扉１２が設けられている。１３は加熱庫扉１２のハンドルである。
また、加熱庫扉１２に隣接して操作つまみ１５等を有する前面操作部１４が設けられており、これら加熱庫扉１２及び前面操作部１４は、前面開口部４の両側に設けたフランジ部５ａ，５ｂより若干前方に突出している。
【００１２】
本体ケース２内には、トッププレート７のサークルライン９ａ〜９ｃに対応して誘導加熱コイルや電気抵抗ヒータの如き加熱体１６が載置されており、その下部には加熱体１６を駆動する駆動制御回路１７が設けられている。また、下部には電源回路１８が設けられており、後部には駆動制御回路１７や電源回路１８などを冷却するための送風機１９が配置されている。なお、本体ケース２内の部品の構成及びその配置はこれに限定するものではなく、適宜変更することができる。
２０は本体ケース２の前面側に突出した加熱庫扉１２及び前面操作部１４の側壁と、後述の流し台３０に設けた加熱調理器収容部３１（以下、調理器収容部という）の側壁との間に形成されたすき間Ｇ（図６参照）を覆って閉塞するカバー体である。
【００１３】
図３はカバー体２０の斜視図、側面図及び背面図である。
本体部２１は断面コ字状に形成されており、その幅Ｗは本体ケース１の前面側に突出した加熱庫扉１２及び前面操作部１３の側壁と、流し台３０の調理器収容部３１の側壁との間に形成されたすき間Ｇの幅とほぼ等しく、高さＨは加熱庫扉１２及び前面操作部１４の高さと、また、厚み（深さ）Ｔはこれらのフランジ部５ａ，５ｂからの突出長と、それぞれほぼ等しく形成されている。
【００１４】
本体部２１の背面側のほぼ中央部には、幅方向の一方の側に片寄って、下方に係止爪２３を有する係止片２２が突設されている。この係止片２２の板厚は本体ケース２のフランジ部５に設けた係止穴６に挿入しうる厚さとなっており、上下方向の高さｈ1は係止穴６の上下方向の長さｈより短く形成されている。また、本体部２１の周壁の背面側と係止爪２３との間には、フランジ部５の板厚とほぼ等しいすき間ｇが形成されている。なお、係止片２２の先端部の上下は切除されて傾斜面が形成され、フランジ部５に設けた係止穴６に挿入し易いようになっている。
【００１５】
また、係止片２２の上下には、係止片２２より間隔Ｓだけ他方の側に片寄って、係止片２２と平行にこれより長いガタ防止片２４ａ，２４ｂが突設されており、この間隔Ｓは、本体ケース２の側壁からフランジ部５の係止穴６までの幅とほぼ等しいか又はこれより僅かに狭く形成されている。
【００１６】
上記のように構成した図１の加熱調理器１は、図４に示すように、流し台３０に設けられて上面が開口した（上面開口部３２）凹状の調理器収容部３１内に組込まれる。３３は流し台３０の前面板３４に設けた調理器収容部３１の前面開口部である。
【００１７】
組込みにあたっては、図５（ａ）に示すように、加熱調理器１を前面側を斜め下方にして上面開口部３２から調理器収容部３１内に挿入し、ついで、図５（ｂ）に示すように、加熱調理器１をほぼ水平にしていトッププレート７の保持枠８を上面開口部３２の周縁に係止させ、保持する。このとき、本体ケース２の前面側に突出する加熱庫扉１２及び前面操作部１４の前面は、流し台３０の前面板３４とほぼ同一平面上に位置する。
【００１８】
このようにして、加熱調理器１を流し台３０に組込んだ状態を図６に示す。この状態では、加熱庫扉１２及び前面操作部１４の側壁と調理器収容部３１の側壁との間には、すき間Ｇが存在する。本実施の形態においては、図７に示すように、カバー体２０の係止片２２をフランジ部５ａ，５ｂの係止穴６に挿入して、カバー体２０によりすき間Ｇを閉塞するようにしたものである。
【００１９】
カバー体２０によりすき間Ｇを閉塞するにあたっては、先ず、図８（ａ）に示すように、カバー体２０の本体部２１の上面を本体ケース２の段部３より上方に位置させ、その係止片２２をフランジ部５の係止穴６に挿入する。
ついで、図８（ｂ）に示すように、カバー体２０を押し下げて、係止片２２の係止爪２３を係止穴６の下縁に係止させる。このとき、本体部２１の上面は、段部３とほぼ同一平面上に位置する。
【００２０】
これにより、図９に示すように、すき間Ｇはカバー体２０で閉塞され、その前壁は前面操作部１４の前面及び流し台３０の前面板３４とほぼ同一平面上に位置する。また、ガタ防止片２４ａ，２４ｂは、本体ケース２の側壁に当接又は圧接される。このときの状態を図１０に示す。
【００２１】
上記の説明では、前面操作部１４と流し台３０の調理器収容部３１の側壁との間のすき間Ｇを、カバー体２０で覆って閉塞した場合を示したが、加熱庫扉１２と調理器収容部３１の側壁との間のすき間Ｇも、同様にしてカバー体２０で閉塞することができる。ただし、この場合は、係止片２２及びガタ防止片２４ａ，２４ｂを、図３の場合と反対側に片寄って設けることが必要である。
【００２２】
本実施の形態によれば、簡単な構造のカバー体２０に設けた係止爪２３を、本体ケース２の前面開口部４の両側に設けたフランジ部５の係止穴６の下縁に係止するだけで、すき間Ｇを確実に閉塞することができ、外れたり落下したりすることがなく、意匠的にも優れた組込式加熱調理器を得ることができる。
【００２３】
また、カバー体２０に設けたガタ防止片２４ａ，２４ｂが本体ケース２の側壁に当接又は圧接され、かつ、係止片２３とガタ防止片２４ａ，２４ｂにより本体ケース２を挾持するようにしたので、カバー体２０がガタツクことがない。
さらに、加熱調理器１を流し台３０に組込んだ状態で、加熱調理器１及び流し台３０になんら加工することなくカバー体２０を装着することができるので、取付作業がきわめて簡単である。
【００２４】
［実施の形態２］
図１０は本発明の実施の形態２に係る加熱調理器の斜視図である。なお、実施の形態１と同じ部分にはこれと同じ符号を付し、説明を省略する。
本実施の形態に係る加熱調理器は、実施の形態１の場合のように、本体ケース２の前面開口部４の両側にフランジ部５ａ，５ｂを設けず、加熱庫扉１２と前面操作部１４の側壁を、本体ケース２の側壁と同一平面上に位置させたものである。
【００２５】
本実施の形態においては、加熱庫扉１２及び前面操作部１４の側壁と、調理器収容部３１の側壁との間のすき間Ｇを閉塞するために、図１２に示すような止め具２５を用いてカバー体２０と取付けるようにしたものである。この止め具２５は、前面２６、長片２７、短片２８によりほぼＪ字状に形成され、その前面２６には係止穴２９が設けられており、あらかじめ本体ケース２の側壁の前端部に、その長片２７がねじ止め、溶接等により取付けられる。
【００２６】
このような止め具２５が取付けられた加熱調理器１は、流し台３０の調理器収容部３１に組込まれ、図１３に示すように、前記すき間Ｇに、実施の形態１の場合と同様にカバー体２０を挿入し、その係止片２を止め具２５の係止穴２９に挿入して係止爪２３を係止穴２９の下縁に係止させ、ガタ防止片２４ａ，２４ｂを止め具２５の短片２８に当接又は圧接させればよい。
本実施の形態においても、実施の形態１の場合とほぼ同様の効果を得ることができる。
【００２７】
上記の説明では、本体ケース２に設けた加熱庫扉１２及び前面操作部１４の側壁と、調理器収容部３１の側壁との間のすき間Ｇを、カバー体２０によって閉塞する場合を示したが、前面開口部３３が調理器収容部３１の両側壁より内側に設けられている場合（前面開口部３３の幅が調理器収容部３１の幅より狭い場合）も、加熱庫扉１２及び前面操作部１４の側壁と前面開口部３３の内側縁との間のすき間を、同様にしてカバー体２０により閉塞することができる。
【図面の簡単な説明】
【００２８】
【図１】本発明の実施の形態１に係る組込式加熱調理器の斜視図である。
【図２】図１のＡ−Ａ断面図である。
【図３】図１のカバー体の斜視図、側面図及び背面図である。
【図４】組込式加熱調理器が組込まれる流し台の要部の斜視図である。
【図５】流し台に組込式加熱調理器を組込む手順の一例を示す説明図である。
【図６】流し台に組込式加熱調理器を組込んだ状態を示す斜視図である。
【図７】本体ケースのフランジ部にカバー体を取付ける手順の説明図である。
【図８】本体ケースのフランジ部にカバー体を取付ける手順の説明図である。
【図９】組込式加熱調理器にカバー体を取付けた状態を示す平断面図である。
【図１０】図６の組込式加熱調理器と調理器収容部の側壁との間のすき間をカバー体で閉塞した状態を示す斜視図である。
【図１１】本発明の実施の形態２に係る組込式加熱調理器の斜視図である。
【図１２】図１１の本体ケースにカバー体を取付けるための止め具の説明図である。
【図１３】図１１の組込式加熱調理器と調理器収容部の側壁との間のすき間をカバー体で閉塞した状態を示す斜視図である。
【符号の説明】
【００２９】
１  組込式加熱調理器、２  本体ケース、５ａ，５ｂ  フランジ部、６  係止穴、７  トッププレート、８  支持枠、１２  加熱庫扉、１４  前面操作部、１６  加熱体、１７  駆動制御回路、１８  電源回路、１９  送風機、２０  カバー体、２１  本体部、２２  係止片、２４ａ，２４ｂ  ガタ防止片、２５  止め具、２９  係止穴、３０  流し台、３１  調理器収容部、３２  上面開口部、３３  前面開口部、３４  前面板、Ｇ  すき間。
【図１】
0004553818.tif 000002
【図２】
0004553818.tif 000003
【図３】
0004553818.tif 000004
【図４】
0004553818.tif 000005
【図５】
0004553818.tif 000006
【図６】
0004553818.tif 000007
【図７】
0004553818.tif 000008
【図８】
0004553818.tif 000009
【図９】
0004553818.tif 000010
【図１０】
0004553818.tif 000011
【図１１】
0004553818.tif 000012
【図１２】
0004553818.tif 000013
【図１３】
0004553818.tif 000014